(57)【要約】【課題】重心位置およびヘッド重量を変更することが可能なゴルフクラブヘッドを提供する。【解決手段】ソールに凸部１６が設けられ、凸部の内方に凹部１８が形成され、かつ、凸部にトウ側からバック側に延びる開口部２０が設けられた中空ヘッド本体と、一端が凸部のヒール側内壁に係合し、他端が上記開口部近傍に延びてこの開口部に沿って移動可能な筒状体２６と、筒状体内に進退可能かつ着脱可能に配置されたウエイト部材３２と、筒状体の他端を凸部に固定する着脱可能な固定部材３８とを具備するゴルフクラブヘッド１０とする。そして、筒状体内におけるウエイト部材の位置を変更したり、筒状体の他端の凸部への固定位置を変更したりすることにより、重心位置の変更を行う。また、ウエイト部材を交換することにより、ヘッド重量の変更を行う。【選択図】図１
2011005011.tif 000002
【特許請求の範囲】
【請求項１】
ソールの周縁に沿って凸部が設けられ、前記凸部の内方に凹部が形成され、かつ、前記凸部にトウ側からバック側に延びる開口部が設けられた中空ヘッド本体と、
前記ヘッド本体の凹部内に配置された筒状体であって、一端が前記凸部のヒール側内壁に係合し、他端が前記開口部近傍に延びて該開口部に沿って移動可能な筒状体と、
前記筒状体内に進退可能かつ着脱可能に配置されたウエイト部材と、
前記筒状体の他端を前記凸部に固定する着脱可能な固定部材と
を具備することを特徴とするゴルフクラブヘッド。
【請求項２】
ソールの周縁に沿って凸部が設けられ、前記凸部の内方に凹部が形成され、かつ、前記凸部にトウ側からバック側に延びる開口部が設けられているとともに、前記開口部の内壁にネジ山が形成され、前記凸部のヒール側内壁に単数または複数の溝部が設けられた中空ヘッド本体と、
前記ヘッド本体の凹部内に配置された筒状体であって、一端が前記溝部に挿入され、他端が前記開口部近傍に延びて該開口部に沿って移動可能であるとともに、内壁にネジ山が形成された筒状体と、
外壁にネジ山が形成され、前記筒状体の内壁のネジ山に進退可能かつ着脱可能に螺合されたウエイト部材と、
前記凸部の外方から前記開口部のネジ山に螺合され、前記筒状体の他端を押圧して筒状体の一端を前記溝部に押し付けることにより、筒状体を前記凸部に固定する着脱可能な固定ネジと
を具備することを特徴とする請求項１に記載のゴルフクラブヘッド。
【請求項３】
複数のウエイト部材が筒状体の内壁のネジ山に進退可能かつ着脱可能に螺合されていることを特徴とする請求項１または２に記載のゴルフクラブヘッド。
【発明の詳細な説明】
【技術分野】
【０００１】
本発明は、重心位置およびヘッド重量を変更することが可能な中空ゴルフクラブヘッドに関する。
【背景技術】
【０００２】
従来、重心位置を変更することが可能な中空ゴルフクラブヘッドとして、特許文献１のものが提案されている。特許文献１の中空ゴルフクラブヘッドは、中空状に形成したメタルヘッド本体の中空部内に、ネジ棒に螺嵌されたウエイト部材を内装し、前記ネジ棒を回転させることにより、前記メタルヘッド本体の前後方向、左右方向、上下方向の何れかの一つの方向にウエイト部材を移動調整可能に構成したものである（請求項１）。
【０００３】
上述した特許文献１のゴルフクラブヘッドは、中空状のメタルヘッド本体を成形する際、メタルヘッド本体の中空部内に、ネジ棒の回転によりウエイト部材を移動させて重量調整する機構を組み込み、メタルゴルフクラブの成形後にメタルヘッド本体の重心位置を調整する際、前記ネジ棒を回転させてウエイト部材を、メタルヘッド本体の前後方向、左右方向、上下方向に移動調整することにより、ゴルフクラブの総重量、スウィングウエイトバランスは殆ど変えずに、連続的にゴルフクラブの特性を変えることができる（段落０００８）。
【先行技術文献】
【特許文献】
【０００４】
【特許文献１】特開平９−２８８４４号公報
【発明の概要】
【発明が解決しようとする課題】
【０００５】
しかし、特許文献１のゴルフクラブヘッドは、重心位置を変更することはできるが、ヘッド重量を変更することはできないものであった。
【０００６】
また、ウエイト部材を用いてクラブヘッドの重心位置を変更する場合、ウエイト部材を１箇所に配置して集中荷重を行う手法と、ウエイト部材を複数箇所に配置して分配荷重を行う手法とが考えられ、いずれの手法でも同じ位置に重心を設定することができるが、特許文献１のゴルフクラブヘッドは、前者の集中荷重を行う手法しか採ることができないものであった。
【０００７】
本発明は、上記事情に鑑みてなされたもので、重心位置およびヘッド重量の両方を変更することが可能なゴルフクラブヘッドを提供することを第１の目的とする。
【０００８】
また、本発明は、クラブヘッドの重心位置を変更する場合に、ウエイト部材を１箇所に配置して集中荷重を行う手法と、ウエイト部材を複数箇所に配置して分配荷重を行う手法の両方を採ることが可能なゴルフクラブヘッドを提供することを第２の目的とする。
【課題を解決するための手段】
【０００９】
本発明は、前記第１の目的を達成するため、
ソールの周縁に沿って凸部が設けられ、前記凸部の内方に凹部が形成され、かつ、前記凸部にトウ側からバック側に延びる開口部が設けられた中空ヘッド本体と、
前記ヘッド本体の凹部内に配置された筒状体であって、一端が前記凸部のヒール側内壁に係合し、他端が前記開口部近傍に延びて該開口部に沿って移動可能な筒状体と、
前記筒状体内に進退可能かつ着脱可能に配置されたウエイト部材と、
前記筒状体の他端を前記凸部に固定する着脱可能な固定部材と
を具備することを特徴とするゴルフクラブヘッドを提供する。
【００１０】
本発明は、前記第１の目的を達成するため、より具体的には、
ソールの周縁に沿って凸部が設けられ、前記凸部の内方に凹部が形成され、かつ、前記凸部にトウ側からバック側に延びる開口部が設けられているとともに、前記開口部の内壁にネジ山が形成され、前記凸部のヒール側内壁に単数または複数の溝部が設けられた中空ヘッド本体と、
前記ヘッド本体の凹部内に配置された筒状体であって、一端が前記溝部に挿入され、他端が前記開口部近傍に延びて該開口部に沿って移動可能であるとともに、内壁にネジ山が形成された筒状体と、
外壁にネジ山が形成され、前記筒状体の内壁のネジ山に進退可能かつ着脱可能に螺合されたウエイト部材と、
前記凸部の外方から前記開口部のネジ山に螺合され、前記筒状体の他端を押圧して筒状体の一端を前記溝部に押し付けることにより、筒状体を前記凸部に固定する着脱可能な固定ネジと
を具備することを特徴とするゴルフクラブヘッドを提供する。
【００１１】
また、本発明は、前記第２の目的を達成するため、上述した本発明のゴルフクラブヘッドにおいて、複数のウエイト部材が筒状体の内壁のネジ山に進退可能かつ着脱可能に螺合されていることを特徴とするゴルフクラブヘッドを提供する。
【００１２】
本発明のゴルフクラブヘッドは、筒状体内にウエイト部材が進退可能に設置されているとともに、ヘッド本体の凸部に開口部が設けられ、この開口部に沿って筒状体の他端の凸部への固定位置を変更することができる。したがって、筒状体内におけるウエイト部材の位置を変更したり、筒状体の他端の凸部への固定位置を変更したりすることにより、重心位置の変更、より具体的には、重心距離および重心角の一方または両方の変更を行うことができる。なお、重心距離とは、シャフト軸線から重心までの距離を言い、重心角とは、シャフト軸の先端部中心および重心を通る直線とフェース面とがなす角度を言う。
【００１３】
また、本発明のゴルフクラブヘッドは、筒状体内にウエイト部材が着脱可能に設置されている。したがって、筒状体内に配置するウエイト部材を重量が異なるものと交換することにより、ヘッド重量を変更することができる。
【００１４】
さらに、複数のウエイト部材を筒状体内に設置した場合には、複数のウエイト部材を筒状体内の１箇所に配置することにより、前述した集中荷重を行うことができ、複数のウエイト部材を筒状体内で互いに離間させて配置することにより、前述した分配荷重を行うことができる。
【発明の効果】
【００１５】
本発明のゴルフクラブヘッドは、重心位置およびヘッド重量の両方を変更することができる。また、複数のウエイト部材を筒状体内に設置した場合には、クラブヘッドの重心位置を変更する場合に、ウエイト部材を１箇所に配置して集中荷重を行う手法と、ウエイト部材を複数箇所に配置して分配荷重を行う手法の両方を採ることができる。
【図面の簡単な説明】
【００１６】
【図１】本発明に係るゴルフクラブヘッドの一実施形態を示すソール側から見た底面図である。
【図２】図１のゴルフクラブヘッドのバック側から見た背面図である。
【図３】図１Ａ−Ａ線に沿った断面図である。
【図４】ヘッド本体の凸部に筒状体を固定した状態を示す模式的断面図である。
【図５】ウエイト部材を示す斜視図である。
【図６】本発明に係るゴルフクラブヘッドの他の実施形態を示すソール側から見た底面図である。
【発明を実施するための形態】
【００１７】
以下、本発明につき図面を参照して詳しく説明する。図１〜図３は本発明に係るゴルフクラブヘッドの一実施形態を示すもので、図１はソール側から見た底面図、図２はバック側から見た背面図、図３は図１Ａ−Ａ線に沿った断面図である。また、図４はヘッド本体の凸部に筒状体を固定した状態を示す模式的断面図、図５はウエイト部材を示す斜視図である。
【００１８】
本例のゴルフクラブヘッド１０において、１２はヘッド本体を示す。ヘッド本体１２は、中空部１４を有するもので、ソールの周縁に沿って略楕円形の凸部１６が設けられ、この凸部１６の内方に凹部１８が形成されている。凸部１６には、トウ側からバック側に延びる開口部２０が水平方向に沿って設けられている。開口部２０には、所定間隔毎に開口が円形をなした雌ネジ部２１が配置され、この雌ネジ部２１の内壁には、図４に示すように、ネジ山２２が形成されているとともに、各雌ネジ部２１の間は、開口幅の狭い接続孔２３によって接続されている。また、凸部１６のヒール側内壁には、図４に示すように、後述する筒状体の一端が挿入される丸溝（溝部）２４が形成されている。丸溝２４は、図示していないが、複数個（３〜６個程度）が水平方向に沿って所定間隔離間して並列配置されている。ヘッド本体の材質に限定はなく、例えば、チタン、チタン合金、ステンレス鋼、アルミニウム、アルミニウム合金、ベリリウム銅合金、マグネシウム合金等の金属や、繊維強化樹脂などを使って形成することができる。
【００１９】
図中２６は、ヘッド本体１２の凹部１８内に配置された筒状体を示す。筒状体２６は、略円柱形のもので、一端側に半球形の挿入部２８を有し、この挿入部２８が前述した丸溝２４に挿入されているとともに、他端が前述した開口部２０の近傍にまで延び、開口部２０に沿って移動可能となっている。なお、上記挿入部の形状に限定はなく、縦断面台形、縦断面方形などの適宜形状とすることができる。また、筒状体２６の内壁には、図４に示すように、ネジ山３０が形成されている。筒状体の材質に限定はなく、例えば、ステンレス鋼、チタン、チタン合金、アルミニウム、アルミニウム合金等の金属や、ポリエステル、ナイロン等のプラスチックによって形成することができる。
【００２０】
図中３２は、筒状体２６内に配置されたウエイト部材を示す。ウエイト部材３２は、図５に示すように円柱形のもので、外壁にネジ山３４が形成され、頭部に＋形あるいは−形のドライバー挿入溝３６が形成されている。ウエイト部材３２は、筒状体２６の内壁のネジ山３０に進退可能かつ着脱可能に螺合されている。また、本実施形態では、１つのウエイト部材３２を筒状体２６内に配置している。ウエイト部材の材質に限定はなく、例えば、タングステン、タングステン合金、ステンレス鋼、アルミニウム、アルミニウム合金等の金属や、ポリエステル、ナイロン等のプラスチックによって形成することができる。ウエイト部材の比重は、０．９〜１９．３であることが適当である。また、筒状体の中でウエイト部材が移動しないように、筒状体内のウエイト部材配置箇所以外の部分にスポンジ等の弾性体を詰めることもできる。
【００２１】
図中３８は、着脱可能な固定ネジを示す。固定ネジ３８は、図４に示すように、軸部の外壁にネジ山４０、軸部の底壁に筒状体２６の他端を挿入する円形溝４２、円形溝４２の底部に中芯４３、頭部に＋形あるいは−形のドライバー挿入溝４４がそれぞれ形成されたものである。固定ネジ３８は、凸部１６の外方から開口部２０のネジ山２２に螺合し、円形溝４２内に筒状体２６の他端を挿入した状態で回転させると、固定ネジ３８の円形溝４２の底部が筒状体２６の他端を押圧して、筒状体２６の一端を溝部２４に押し付け、これによって筒状体２６を凸部１６に固定するものである。なお、円形溝４２の底部には弾性材料からなる円形リング状のワッシャ４６が配置されている。また、固定ネジ３８の中芯４３とウエイト部材３２との間には円形の弾性体４７が配置され、この弾性体４７がウエイト部材３２を押圧することにより、スイング時などにウエイト部材３２が筒状体２６内で動くことが防止されている。固定ネジの材質に限定はなく、例えば、ステンレス鋼、アルミニウム、アルミニウム合金、チタン、チタン合金、マグネシウム合金等の金属や、ポリエステル、ナイロン等のプラスチックによって形成することができる。
【００２２】
本例のゴルフクラブヘッド１０は、固定ネジ３８を凸部１６から取り外した後、筒状体２６内にドライバーを挿入してウエイト部材３２を回転させ、ウエイト部材３２を筒状体２６内で図１の矢印Ｘで示すように動かしたり、筒状体２６の他端を矢印Ｙで示すように開口部２０に沿って動かしたりした後、固定ネジ３８で筒状体２６を凸部１６に固定することにより、重心位置の変更を行うことができる。また、本例のゴルフクラブヘッド１０は、筒状体２６内のウエイト部材を交換することにより、ヘッド重量を変更することができる。なお、筒状体２６の一端の挿入部２８は、筒状体２６の他端の位置に応じて適当な丸溝２４に挿入すればよい。
【００２３】
図６は本発明に係るゴルフクラブヘッドの他の実施形態を示すソール側から見た底面図である。本例のゴルフクラブヘッド５０は、図１のゴルフクラブヘッドにおいて、タングステン合金などからなる比重の大きい１つのウエイト部材５２を筒状体２６内のヒール側に配置し、タングステン合金などからなる比重の大きいもう１つのウエイト部材５４を筒状体２６内のトウ側に配置することにより、ウエイト部材の分配荷重を行ったものである。このようにウエイト部材の分配荷重を行うと、全体の重心位置が同じであっても、集中荷重と比べてスイング中のクラブの重量感、振り感が異なり、分配加重の方が振り軽さ、振り易さを感じやすいという利点を得ることができる。また、本例のゴルフクラブヘッド５０では、筒状体２６内の両ウエイト部材５２、５４の間にナイロンなどからなる比重の小さいウエイト部材（樹脂ネジ）５６を配置するとともに、両ウエイト部材５２、５４の外側にスポンジ等の弾性材料５８を充填することにより、スイング時などに両ウエイト部材５２、５４が筒状体２６内で動くことを防止してある。その他の点は、本例のゴルフクラブヘッド５０は、図１のゴルフクラブヘッドと同じであるため、図６において図１と同一の構成部分には、同一の参照符号を付してその説明を省略する。
【００２４】
なお、本発明のゴルフクラブヘッドは上述した実施形態に限定されるものではなく、本発明の要旨を逸脱しない範囲で種々の変更が可能である。例えば、上述した実施形態では、凹部内に１本の筒状体を配置したが、複数本の筒状体を配置してもよい。また、トウ側からバック側に延びる開口部の長さも適宜設定することができる。
【符号の説明】
【００２５】
１０  ゴルフクラブヘッド
１２  ヘッド本体
１４  中空部
１６  凸部
１８  凹部
２０  開口部
２２  ネジ山
２４  丸溝（溝部）
２６  筒状体
３０  ネジ山
３２  ウエイト部材
３４  ネジ山
３８  固定ネジ（固定部材）
５０  ゴルフクラブヘッド
５２、５４  ウエイト部材
【図１】
2011005011.tif 000003
【図２】
2011005011.tif 000004
【図３】
2011005011.tif 000005
【図４】
2011005011.tif 000006
【図５】
2011005011.tif 000007
【図６】
2011005011.tif 000008